(57)【要約】【課題】  十分なクッション性を備えるとともに、足から靴へ確実に力を伝達でき、歩行状態を良好にすることができる靴の中敷き及びこれを備えた靴を提供する。【解決手段】  靴の内部に着脱自在に装着可能なされる中敷きであって、弾性材料で構成された中敷き本体１を備え、この中敷き本体において足の踵と対向する踵部領域には、貫通孔７が形成されており、この貫通孔は、中敷き本体１が靴の内部に装着された状態で、当該中敷き本体１上に載せられた足の踵の少なくとも一部が、貫通孔７を介して靴の内部に当接する大きさに形成されている。【選択図】  図１
2005021642.tif 000002
【特許請求の範囲】
【請求項１】
靴の内部に装着される中敷きであって、
弾性材料で構成された中敷き本体を備え、
当該中敷き本体において足の踵が当接する踵部領域には、貫通孔が形成されており、
前記貫通孔は、前記中敷き本体が靴の内部に装着された状態で、当該中敷き本体上にのせられた足の踵の少なくとも一部が、前記貫通孔を介して靴の内部に当接する大きさに形成されている靴の中敷き。
【請求項２】
前記貫通孔は、円形状又は多角形状に形成され、最も長い径が１０〜５０ｍｍである請求項１に記載の靴の中敷き。
【請求項３】
前記中敷き本体は、Ｆ硬度計値が１〜８０である請求項１にまたは２に記載の靴の中敷き。
【請求項４】
前記中敷き本体には、足底筋と対向する部分に沿って延びる切り込み部が形成されている請求項１から３のいずれかに記載の靴の中敷き。
【請求項５】
請求項１から４のいずれかに記載の靴の中敷きを備えた靴。
【発明の詳細な説明】
【発明の詳細な説明】
【技術分野】
【０００１】  本発明は、靴の内部に装着される靴の中敷き、及びこれを備えた靴に関するものである。
【背景技術】
【０００２】  従来より、この種の靴の中敷きとしては、クッション性を向上するため、種々のものが提案されている。例えば、特許文献１には、合成繊維製の生地からなる表シートと裏シートとを備え、これらシートの間に弾性パッドを介挿したものが記載されている。この構成により、足に作用する力が弾性パッドにより緩和され、良好なクッション性が付与される。【０００３】
【特許文献１】          登録実用新案第２５１９０５１号公報
【発明が解決しようとする課題】
【０００４】  しかしながら、上記のような中敷きでは、次のような問題があった。すなわち、この中敷きは、十分なクッション性、つまり衝撃吸収力はあるものの、歩行時に足から靴へ伝達されるべき力も中敷きに吸収されるため、足の踏ん張りが利かず、歩行状態は必ずしも良いとはいえなかった。
【０００５】  本発明は、上記課題を解決するためになされたものであり、十分なクッション性を備えるとともに、足から靴へ確実に力を伝達でき、歩行状態を良好にすることができる靴の中敷き及びこれを備えた靴を提供することを目的とする。
【課題を解決するための手段】
【０００６】  第１の本発明は、靴の内部に装着される中敷きであって、弾性材料で構成された中敷き本体を備え、当該中敷き本体において足の踵が当接する踵部領域には、貫通孔が形成されており、前記貫通孔は、前記中敷き本体が靴の内部に装着された状態で、当該中敷き本体上にのせられた足の踵の少なくとも一部が、前記貫通孔を介して靴の内部に当接する大きさに形成されている。
【０００７】  この構成によれば、中敷き本体が弾性材料で構成されるとともに、踵と対向する踵部領域に貫通孔が形成されているため、従来例のような柔らかい材料で構成された中敷きによる弊害を防止することができる。すなわち、従来の中敷きは、柔らかい材料で構成することにより、足裏に作用する衝撃を緩和することは可能であったが、これにより歩行時に足から靴へと伝達すべき力も吸収されていた。そのため、踏ん張りが利かず、歩行しにくいという事態が生じていた。
【０００８】  これに対して、本発明に係る中敷きは、踵部に貫通孔が形成されており、この貫通孔を介して踵が靴の内部に当接するため、踵から靴へと力を確実に伝達することができる。したがって、足裏に作用する衝撃の吸収と安定した歩行状態とをともに実現することができる。
【０００９】  ここで、上記貫通孔は、円形状又は多角形状に形成され、最も長い径が１０〜５０ｍｍであることが好ましい。貫通孔をこの大きさにすることにより、踵を貫通孔を介して確実に靴の内部に当接させることができる。
【００１０】  また、前記中敷き本体は、Ｆ硬度計値が１〜８０であることが好ましい。これにより、中敷き本体に十分なクッション性を付与することができ、歩行時の衝撃を確実に吸収することができる。
【００１１】  さらに、上記中敷き本体には、足底筋と対向する部分に沿って切り込み部を形成すること好ましい。これにより、次の効果を得ることができる。歩行時には足を踏ん張ったときに足底筋が緊張した状態になる。このとき、従来の中敷きでは、足底筋が中敷きに過度に接触し押圧された状態となるため、足底筋を傷めることがあった。これに対し、上記のように構成すると、足底筋から中敷きに作用する力が、切り込み部を介して分散されるため、足底筋が過度に押圧されるのを防止することができる。したがって、上記切り込み部を形成することにより、足底筋が傷むのを防止できるという効果がある。
【００１２】  また、第２の本発明は、上記問題を解決するためになされたものであり、上述の靴の中敷きを備えた靴を提供するものである。
【発明を実施するための最良の形態】
【００１３】  以下、本発明の一実施形態に係る靴の中敷きについて図面を参照しつつ説明する。図１は、本実施形態に係る靴の中敷きの平面図である。【００１４】  図１に示すように、この中敷きは、靴の内部に着脱可能に装着されるものであり、足Ｆの踵から土踏まずを覆い、さらに母趾後端までにわたって足裏に当接する中敷き本体１を備えている。中敷き本体１は、ゴム等の弾性材料から構成される本体部３と、これをラミネートし周縁を熱融着したビニール膜部５とから構成されている。ビニール膜部５は、足裏から受ける力によって本体部３が破れるのを防止したり、或いは仮に本体部３が破れた場合に靴の内部で分離、散乱するのを防止する役割を果たす。【００１５】  中敷き本体１において、足の踵と対向する踵部領域１ａには、長径が約４５ｍｍの略楕円形の貫通孔７が形成されている。踵は、この貫通孔７を介して靴の内部に当接可能となっている。また、中敷き本体１の先端から足底筋に沿う部分には、直線上に延びる切り欠き部９が形成されている。また、この中敷き本体１前部の外側（小指側）は斜めに切り欠かれており（図の符号Ｃ）、その端縁は足裏Ｆの周縁より内側に位置している。これは、次の理由からである。すなわち、母子から足の外側（小指側）に亘る領域は、歩行時の負荷が最もかかる部分の一つであり、この部分を中敷き本体１上にのせず、靴の内部に当接させた方が歩行がし易くなるからである。また、これにより中敷き本体１の面積が狭くなり、靴の中に装着しやすくなるという利点もある。【００１６】  この中敷き本体１を構成する材料は、特には限定されないが、Ｆ硬度計値（ＪＩＳ規格）が１〜８０である材料が好ましく、１０〜３０の材料がさらに好ましい。中敷き本体１をこの硬度で構成することで、歩行時等に足裏に作用する衝撃力を十分に吸収し、良好なクッション性を実現することが可能となる。また、中敷き本体１のＦ硬度がこの数値範囲である場合には、衝撃吸収性能を高めるため、厚みを１〜４ｍｍにすることが好ましい。【００１７】  次に、上記のように構成された中敷きを靴に装着した場合の、働きについて説明する。図２に示すように、中敷きを靴Ｓに装着した後、足Ｆを靴内に入れて中敷きの上にのせると、足の踵は、上記した貫通孔７を介して靴Ｓの内部に当接した状態となる。この状態で歩行を行うと、足裏に作用する衝撃が弾性材料からなる中敷きによって吸収されるため、良好なクッション性を得ることができる。このとき、足の踵は、上記貫通孔７を介して靴の内部に当接しているため、歩行時に踏ん張る力が貫通孔７を介して足から靴へ伝達される。【００１８】  以上のように、本実施形態に係る中敷きによれば、中敷き本体１が弾性材料で構成されるとともに、踵と対向する踵部領域１ａに貫通孔７が形成されているため、従来例のような柔らかい材料で構成された中敷きによる弊害を防止することができる。すなわち、従来の中敷きは、柔らかい材料で構成することにより、足裏に作用する衝撃を緩和することは可能であったが、これにより歩行時に足から靴へと伝達すべき力も吸収されていた。そのため、踏ん張りが利かず、歩行しにくいという事態が生じていた。【００１９】  これに対して、本実施形態に係る中敷き���、踵部領域１ａに貫通孔７が形成されており、歩行時には、この貫通孔７を介して踵が靴の内部に当接するため、踵から靴へと力を確実に伝達することができる。したがって、足裏に作用する衝撃の吸収と安定した歩行状態とをともに実現することが可能となる。【００２０】  また、上記中敷きは、足底筋と対向する部分に、切り欠き部９が形成されているため、次のような利点がある。すなわち、歩行時に足先で地面を蹴り上げる際には、この足底筋が緊張した状態となるが、このとき、緊張した足底筋が中敷きに当接すると、長時間の歩行時には、足底筋に痛みが生ずる場合がある。これに対して、本実施形態の中敷きは、上記のような切り欠き部９が形成されているため、緊張した足底筋から中敷きに対して作用する力が、この切り欠き部９を介して分散される。その結果、中敷きが足底筋を過度に押圧することが防止され、長時間の歩行であっても、足底筋に痛みが生ずるのを防止することができる。【００２１】  以上、本発明の一実施形態について説明したが、本発明は、これに限定されるものではなく、その趣旨を逸脱しない限りにおいて種々の変更が可能である。例えば、上記実施形態では貫通孔７を楕円状に形成しているが、これに限定されるものではなく、円形、多角形状等、種々の形状にすることができる。すなわち、踵が貫通孔７を介して靴の内部に当接可能であれば、その形状及び大きさは特に限定されるものではない。但し、踵から靴の内部に力を確実に伝達できるように、貫通孔の最も長い径（貫通孔の一端部から他端部までの長さのうち最も長い部分）が１０ｍｍ以上であることが好ましく、２０ｍｍ以上であることがさらに好ましい。一方、その最大値は、５０ｍｍ以下であることが好ましく、４６ｍｍ以下であることがさらに好ましい。また、上記の例では、貫通孔を１つのみ形成しているが、上記した大きさの範囲に包含されるように、複数の貫通孔を形成することもできる。つまり、複数の貫通孔の合計の大きさが、上記した１つの貫通孔の大きさとほぼ同様の大きさであればよい。【００２２】  また、上記実施形形態では、足裏の一部が当接する大きさ、つまり踵から母趾までに亘る大きさにしているが、足裏全体を覆う大きさにすることも可能である。また、ビニール膜部５は、本体部３が保護するためのものであるが必ずしも必要というわけではなく、本体部３のみでも十分に本発明の効果を得ることができる。【００２３】  さらに、上記した中敷きを、例えば布製の滑りにくい袋に収納した状態で、靴の内部に装着するようにしてもよい。また、上記説明では、中敷きを靴に対して着脱自在としているが、靴の内部に固定することもできる。
【発明の効果】
【００２４】  以上の説明から明らかなように、本発明に係る中敷きによれば、十分なクッション性を備えるとともに、足から靴へ確実に力を伝達でき、歩行状態を良好にすることができる。
【図面の簡単な説明】
【図１】  本発明の一実施形態に係る靴の中敷きの平面図である。
【図２】  図１の靴の中敷きを靴に装着したときの中敷きの作用を説明する図である。
【符号の説明】
１  中敷き本体
１ａ  踵部領域
７  貫通孔
９  切り欠き部
【図１】
2005021642.tif 000003
【図２】
2005021642.tif 000004